【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
複数種類の図柄を表示可能な図柄表示器と、
大当たり遊技状態に突入するか否かを決定するための大当たり抽選を行う手段と、
大当たり抽選の結果を表す図柄を上記図柄表示器に表示させる手段と、
大当たり遊技状態に突入すると決定されたことを表す大当たり図柄が上記図柄表示器に表示された場合に、上記図柄表示器の表示を変動させた後、大当たり遊技状態の終了後に遊技者にとって有利な特別モードに突入するか否かを表す図柄を、上記図柄表示器に表示させる手段と、
大当たり図柄の表示以後であって、特別モードに突入するか否かを表す図柄が上記図柄表示器に表示されるよりも前に、特別モードに突入することを表す特定図柄が上記図柄表示器に表示される確率を告知する特別モード突入確率予告手段と
を含むことを特徴とするパチンコ機。
【請求項２】
上記特別モード突入確率予告手段は、上記図柄表示器を制御して上記図柄表示器に表示させる予告図柄により、特定図柄が上記図柄表示器に表示される確率の高低を告知するものであることを特徴とする請求項１記載のパチンコ機。
【請求項３】
上記図柄表示器は、複数種類の図柄要素を組み合わせてなる図柄を表示可能なものであり、
上記特別モード突入確率予告手段は、予め定める種類の図柄要素を少なくとも１つ含む予告図柄を上記図柄表示器に表示させることにより、特定図柄が上記図柄表示器に表示される確率が相対的に高いことを告知し、上記予め定める種類の図柄要素を含まない予告図柄を上記図柄表示器に表示させることにより、特定図柄が上記図柄表示器に表示される確率が相対的に低いことを告知するものであることを特徴とする請求項２記載のパチンコ機。
【請求項４】
上記図柄表示器は、複数種類の図柄要素を組み合わせてなる図柄を表示可能なものであり、
上記特別モード突入確率予告手段は、次に表示される予告図柄に含まれる予め定める種類の図柄要素の個数が、先に表示された予告図柄に含まれる上記予め定める種類の図柄要素の個数以上になるように、上記図柄表示器に予告図柄を所定の回数表示させることにより、特定図柄が上記図柄表示器に表示される確率が相対的に高いことを告知し、次に表示される予告図柄に含まれる予め定める種類の図柄要素の個数が、先に表示された予告図柄に含まれる上記予め定める種類の図柄要素の個数よりも多くならないように、上記図柄表示器に予告図柄を所定の回数表示させることにより、特定図柄が上記図柄表示器に表示される確率が相対的に低いことを告知するものであることを特徴とする請求項２記載のパチンコ機。
【請求項５】
複数色に発色可能な発色部をさらに含み、
上記特別モード突入確率予告手段は、上記発色部を制御して上記発色部の発色パターンにより、特定図柄が上記図柄表示器に表示される確率を告知するものであることを特徴とする請求項１記載のパチンコ機。
【請求項６】
複数種類の音を出力可能な音出力手段をさらに含み、
上記特別モード突入確率予告手段は、上記音出力手段を制御して上記音出力手段から出力させる音により、特定図柄が上記図柄表示器に表示される確率を告知するものであることを特徴とする請求項１記載のパチンコ機。
【請求項７】
上記図柄表示器は、複数種類の図柄要素を組み合わせてなる図柄を表示可能なものであり、
上記特別モード突入確率予告手段は、上記図柄表示器を制御して上記図柄表示器に点滅表示させる図柄要素の個数により、特定図柄が上記図柄表示器に表示される確率を告知するものであることを特徴とする請求項１記載のパチンコ機。
【請求項８】
複数種類の図柄要素を組み合わせてなる図柄を表示可能な図柄表示器と、
大当たり遊技状態に突入するか否かを決定するための大当たり抽選を行う手段と、
大当たり抽選の結果を表す図柄を上記図柄表示器に表示させる手段と、
大当たり遊技状態に突入すると決定されたことを表す大当たり図柄が上記図柄表示器に表示された場合に、上記図柄表示器の表示を変動させた後、大当たり遊技状態の終了後に遊技者にとって有利な特別モードに突入するか否かを表す図柄を、上記図柄表示器に表示させる手段と、
特別モードに突入することを表す特定図柄が上記図柄表示器に表示される場合に、大当たり図柄の表示以後であって、上記特定図柄が上記図柄表示器に表示される前に、上記図柄表示器を制御して、先に表示された予告図柄よりもその後に表示される予告図柄が上記特定図柄を構成する図柄要素を多く含むように、上記図柄表示器に予告図柄を所定の回数表示させる手段と
を含むことを特徴とするパチンコ機。
【手続補正２】
【補正対象書類名】明細書
【補正対象項目名】０００７
【補正方法】変更
【補正の内容】
【０００７】
【課題を解決するための手段および発明の効果】
上記の目的を達成するための請求項１記載の発明は、複数種類の図柄を表示可能な図柄表示器と、大当たり遊技状態に突入するか否かを決定するための大当たり抽選を行う手段と、大当たり抽選の結果を表す図柄を上記図柄表示器に表示させる手段と、大当たり遊技状態に突入すると決定されたことを表す大当たり図柄が上記図柄表示器に表示された場合に、上記図柄表示器の表示を変動させた後、大当たり遊技状態の終了後に遊技者にとって有利な特別モードに突入するか否かを表す図柄を、上記図柄表示器に表示させる手段と、大当たり図柄の表示以後であって、特別モードに突入するか否かを表す図柄が上記図柄表示器に表示されるよりも前に、特別モードに突入することを表す特定図柄が上記図柄表示器に表示される確率を告知する特別モード突入確率予告手段とを含むことを特徴とするパチンコ機である。


【手続補正３】
【補正対象書類名】明細書
【補正対象項目名】０００９
【補正方法】変更
【補正の内容】
【０００９】
この場合、上記図柄表示器が複数種類の図柄要素を組み合わせてなる図柄を表示可能なものであって、上記特別モード突入確率予告手段は、予め定める種類の図柄要素（特別モードに突入することを表す図柄要素）を少なくとも１つ含む予告図柄を上記図柄表示器に表示させることにより、特定図柄が上記図柄表示器に表示される確率が相対的に高いことを告知し、上記予め定める種類の図柄要素を含まない予告図柄を上記図柄表示器に表示させることにより、特定図柄が上記図柄表示器に表示される確率が相対的に低いことを告知するものであってもよい（請求項３）。また、上記特別モード突入確率予告手段は、次に表示される予告図柄に含まれる予め定める種類の図柄要素の個数が、先に表示された予告図柄に含まれる上記予め定める種類の図柄要素の個数以上になるように、上記図柄表示器に予告図柄を所定の回数表示させることにより、特定図柄が上記図柄表示器に表示される確率が相対的に高いことを告知し、次に表示される予告図柄に含まれる予め定める種類の図柄要素の個数が、先に表示された予告図柄に含まれる上記予め定める種類の図柄要素の個数よりも多くならないように、上記図柄表示器に予告図柄を所定の回数表示させることにより、特定図柄が上記図柄表示器に表示される確率が相対的に低いことを告知するものであってもよい（請求項４）。


【手続補正４】
【補正対象書類名】明細書
【補正対象項目名】００１１
【補正方法】変更
【補正の内容】
【００１１】
さらには、請求項７に記載のように、上記図柄表示器が、複数種類の図柄要素を組み合わせてなる図柄を表示可能なものであって、上記特別モード突入確率予告手段は、上記図柄表示器を制御して上記図柄表示器に点滅表示させる図柄要素の個数により、特定図柄が上記図柄表示器に表示される確率を告知するものであってもよい。
請求項８記載の発明は、複数種類の図柄要素を組み合わせてなる図柄を表示可能な図柄表示器と、大当たり遊技状態に突入するか否かを決定するための大当たり抽選を行う手段と、大当たり抽選の結果を表す図柄を上記図柄表示器に表示させる手段と、大当たり遊技状態に突入すると決定されたことを表す大当たり図柄が上記図柄表示器に表示された場合に、上記図柄表示器の表示を変動させた後、大当たり遊技状態の終了後に遊技者にとって有利な特別モードに突入するか否かを表す図柄を、上記図柄表示器に表示させる手段と、特別モードに突入することを表す特定図柄が上記図柄表示器に表示される場合に、大当たり図柄の表示以後であって、上記特定図柄が上記図柄表示器に表示される前に、上記図柄表示器を制御して、先に表示された予告図柄よりもその後に表示される予告図柄が上記特定図柄を構成する図柄要素を多く含むように、上記図柄表示器に予告図柄を所定の回数表示させる手段とを含むことを特徴とするパチンコ機である。
この発明によれば、予告図柄の表示が進むにつれて、予告図柄に含まれる特定図柄を構成する図柄要素が増えることにより、遊技者が特定図柄の表示に対して抱く期待度を高めることができる。